(57)【要約】【課題】電子メールより着信履歴を取り出す操作をしなくとも良いようにする。着信履歴中の電話番号に発信するときに、この電話番号を読み対応するボタンを押下する必要がないようにする。【解決手段】他の電話装置３が着信履歴を送信し、電話装置１が、他の電話装置３から着信履歴を受け、この受けた着信履歴を自電話装置１の着信履歴として格納し管理する。あるいは、他の電話装置３が着信履歴を送信し、電話装置１が、他の電話装置３から着信履歴を受け、この受けた着信履歴を、この着信履歴を送った他の電話装置３の着信履歴として格納し自電話装置１の着信履歴とは別に管理する。【選択図】      図１
2005252448.tif 000002
【特許請求の範囲】
【請求項１】
他の電話装置から着信履歴を受け、この受けた着信履歴を自電話装置の着信履歴として格納するようにしたことを特徴とする電話装置。
【請求項２】
他の電話装置から着信履歴を受け、この受けた着信履歴を、この着信履歴を送った前記他の電話装置の着信履歴として格納し自電話装置の着信履歴とは別に管理するようにしたことを特徴とする電話装置。
【請求項３】
前記着信履歴を電子メールで受け、この電子メールより前記着信履歴を取り出しこの取り出した着信履歴を格納し管理するようにしたことを特徴とする請求項１又は２記載の電話装置。
【請求項４】
前記着信履歴を、この着信履歴のデータを構成する各文字にそれぞれ対応する音信号を示すプッシュトーンの群として受け、この受けた前記プッシュトーンの群より前記着信履歴を生成し、この生成した着信履歴を格納し管理するようにしたことを特徴とする請求項１又は２記載の電話装置。
【請求項５】
他の電話装置から着信履歴を受ける受信手段と、
記憶手段と、
前記受信手段が受けた前記着信履歴を自電話装置の着信履歴として前記記憶手段に格納する制御手段と、
を備えたことを特徴とする電話装置。
【請求項６】
他の電話装置から着信履歴を受ける受信手段と、
記憶手段と、
前記受信手段が受けた前記着信履歴を、この着信履歴を送った前記他の電話装置の着信履歴として前記記憶手段に格納し自電話装置の着信履歴とは別に管理する制御手段と、
を備えたことを特徴とする電話装置。
【請求項７】
前記受信手段は、前記着信履歴を電子メールで受け、前記制御手段は、前記受信手段が受けた前記電子メールより前記着信履歴を取り出しこの取り出した着信履歴を前記記憶手段に格納するようにしたことを特徴とする請求項５又は６記載の電話装置。
【請求項８】
前記制御手段は、前記受信手段が受けた前記電子メールの送信元のメールアドレスが予め備えたメールアドレスと一致し、かつ、前記電子メールの表題を示すキーワードが予め備えたキーワードと一致するときに、前記電子メールより前記着信履歴を取り出すようにしたことを特徴とする請求項７記載の電話装置。
【請求項９】
前記受信手段は、前記着信履歴を、この着信履歴のデータを構成する各文字にそれぞれ対応する音信号を示すプッシュトーンの群として受け、前記制御手段は、前記受信手段が受けた前記プッシュトーンの群より前記着信履歴を生成し、この生成した着信履歴を格納するようにしたことを特徴とする請求項５又は６記載の電話装置。
【請求項１０】
着信履歴を送信する他の電話装置と、
前記他の電話装置から前記着信履歴を受け、この受けた着信履歴を自電話装置の着信履歴として格納する電話装置と、
を備えたことを特徴とする電話装置システム。
【請求項１１】
着信履歴を送信する他の電話装置と、
前記他の電話装置から前記着信履歴を受け、この受けた着信履歴を、この着信履歴を送った前記他の電話装置の着信履歴として格納し自電話装置の着信履歴とは別に管理するようにした電話装置と、
を備えたことを特徴とする電話装置システム。
【請求項１２】
前記他の電話装置は、前記着信履歴を電子メールにして送信し、
前記電話装置は、前記他の電話装置から前記電子メールを受けこの受けた電子メールより前記着信履歴を取り出しこの取り出した着信履歴を格納し管理するようにしたことを特徴とする請求項１０又は１１記載の電話装置システム。
【請求項１３】
前記他の電話装置は、前記着信履歴を、この着信履歴のデータを構成する各文字にそれぞれ対応する音信号を示すプッシュトーンの群にして送信し、
前記電話装置は、前記他の電話装置から前記プッシュトーンの群を受け、この受けた前記プッシュトーンの群より前記着信履歴を生成し、この生成した着信履歴を格納し管理するようにしたことを特徴とする請求項１０又は１１記載の電話装置システム。
【請求項１４】
電話装置と、他の電話装置と、前記電話装置と前記他の電話装置とを接続する網とにより構成する電話装置システムであって、
網を介して着信を受け、着信を受けた後に予め登録した前記電話装置の電話番号に発呼しこの発呼に対応した着信信号を前記電話装置より受け、前記着信を受けたときの着信履歴を、この着信履歴のデータを構成する各文字にそれぞれ対応する音信号を示すプッシュトーンの群として前記電話装置に送信する前記他の電話装置と、
前記他の電話装置からの着信を受け、前記着信信号を前記他の電話装置に出力し、前記他の電話装置より前記プッシュトーンの群を受けこのプッシュトーンの群より前記着信履歴を生成し、この生成した前記着信履歴を自電話装置の着信履歴として格納し管理する前記電話装置と、
を備えたことを特徴とする電話装置システム。
【請求項１５】
電話装置と、他の電話装置と、前記電話装置と前記他の電話装置とを接続する網とにより構成する電話装置システムであって、
網を介して着信を受け、着信を受けた後に予め登録した前記電話装置の電話番号に発呼しこの発呼に対応した着信信号を前記電話装置より受け、前記着信を受けたときの着信履歴を、この着信履歴のデータを構成する各文字にそれぞれ対応する音信号を示すプッシュトーンの群として前記電話装置に送信する前記他の電話装置と、
前記他の電話装置からの着信を受け、前記着信信号を前記他の電話装置に出力し、前記他の電話装置より前記プッシュトーンの群を受けこのプッシュトーンの群より前記着信履歴を生成し、この生成した前記着信履歴を前記他の電話装置の着信履歴として格納し自電話装置の着信履歴とは別に管理する前記電話装置と、
を備えたことを特徴とする電話装置システム。
【請求項１６】
他の電話装置から着信履歴を受ける第１のステップと、
前記第１のステップで受けた前記着信履歴を自電話装置の着信履歴として格納する第２のステップと、
を含むことを特徴とする電話装置の着信履歴管理方法。
【請求項１７】
他の電話装置から着信履歴を受ける第１のステップと、
前記第１のステップで受けた前記着信履歴を、前記他の電話装置の着信履歴として格納し自電話装置の着信履歴とは別に管理する第２のステップと、
を含むことを特徴とする電話装置の着信履歴管理方法。
【請求項１８】
前記第１のステップは、前記他の電話装置から前記着信履歴を電子メールで受け、前記第２のステップは、前記第１のステップで受けた前記電子メールから前記着信履歴を取り出しこの取り出した着信履歴を格納するようにしたことを特徴とする請求項１６又は１７記載の電話装置の着信履歴管理方法。
【請求項１９】
前記第２のステップは、前記第１のステップで受けた前記電子メールの送信元のメールアドレスが予め備えたメールアドレスと一致し、かつ、前記電子メールの表題を示すキーワードが予め備えたキーワードと一致するときに、前記電子メールより前記着信履歴を取り出すようにしたことを特徴とする請求項１８記載の電話装置の着信履歴管理方法。
【請求項２０】
前記第１のステップは、前記他の電話装置から前記着信履歴を、この着信履歴のデータを構成する各文字にそれぞれ対応する音信号を示すプッシュトーンの群として受け、
前記第２のステップは、前記第１のステップが受けた前記プッシュトーンの群より前記着信履歴を生成しこの生成した着信履歴を格納するようにしたことを特徴とする請求項１６又は１７記載の電話装置の着信履歴管理方法。
【請求項２１】
他の電話装置が、着信を受け着信を受けた後に、この他の電話装置装置に予め登録した電話番号に発呼する第１のステップと、
前記電話番号を持つ電話装置が、前記他の電話装置より着信し着信信号を出力する第２のステップと、
前記他の電話装置が、前記着信信号を受け、前記第１のステップで着信したときの着信履歴を、この着信履歴のデータを構成する各文字にそれぞれ対応する音信号を示すプッシュトーンの群として前記電話装置に送信する第３のステップと、
前記電話装置が、前記他の電話装置より前記プッシュトーンの群を受けこのプッシュトーンの群より前記着信履歴を生成する第４のステップと、
前記電話装置が、前記第４のステップで生成した前記着信履歴を自電話装置の着信履歴として格納し管理する第５のステップと、
を含むことを特徴とする電話装置の着信履歴管理方法。
【請求項２２】
他の電話装置が、着信を受け着信を受けた後に、この他の電話装置に予め登録した電話番号に発呼する第１のステップと、
前記電話番号を持つ電話装置が、前記他の電話装置より着信し着信信号を出力する第２のステップと、
前記他の電話装置が、前記着信信号を受け、前記第１のステップで着信したときの着信履歴を、この着信履歴のデータを構成する各文字にそれぞれ対応する音信号を示すプッシュトーンの群として前記電話装置に送信する第３のステップと、
前記電話装置が、前記他の電話装置より前記プッシュトーンの群を受けこのプッシュトーンの群より前記着信履歴を生成する第４のステップと、
前記電話装置が、前記第４のステップで生成した前記着信履歴を、前記他の電話装置の着信履歴として格納し自電話装置の着信履歴とは別に管理する第５のステップと、
を含むことを特徴とする電話装置の着信履歴管理方法。
【発明の詳細な説明】
【技術分野】
【０００１】
本発明は電話装置、電話装置システム及び電話装置の着信履歴管理方法に関し、特に着信履歴を通知し、また、通知された着信履歴を受けこの受けた着信履歴を格納し管理する電話装置、電話装置システム及び電話装置の着信履歴管理方法に関する。
【背景技術】
【０００２】
従来の電話装置は、電子メールを送る宛先の電話装置等のメールアドレスを予め登録しておく。そして、着信があったときに着信履歴を電子メールにしてこの登録しておいたメールアドレスに送るようにしている（例えば、特許文献１参照）。
【０００３】
【特許文献１】特開２００２−５７７５０号公報（「要約」、「請求項１」等）
【発明の開示】
【発明が解決しようとする課題】
【０００４】
上述した従来の電話装置から着信履歴の電子メールを受けた電話装置の利用者は、電子メールを取り扱う通常の操作を行って、この受けた電子メールを表示部に表示する。そして、この電子メールが表示された状態において、利用者は表示された電子メール中の着信履歴内にある電話番号を読み取り、この電話番号に対応するボタン等を押下してこの電話番号に発信する。
【０００５】
このため、着信履歴の電子メールを受けた電話装置の利用者は、着信履歴中の電話番号に発信するために、電子メールを取り扱う通常の操作を行ってこの受けた電子メールを表示部に表示させる必要があるという第１の問題がある。そして、この着信履歴中の電話番号を読み取りながらこの電話番号に対応するボタン等を押下して発信するといった操作が必要であるという第２の問題がある。また、着信履歴中の電話番号を読み取りながらこの電話番号に対応するボタン等を押下して発信するので、発信するときに電話番号を間違える可能性があるという第３の問題がある。また、着信履歴を電子メールにして送るのでメールアドレスを間違えると、間違えた先にこの着信履歴が通知されるので、個人情報が漏れる可能性があるという第４の問題がある。
【０００６】
本発明の第１の目的は前述の第１から第３の問題を除去することにある。すなわち、本発明の第１の目的は、電子メールを表示部に表示させる操作をする必要がない電話装置、電話装置システム及び電話装置の着信履歴管理方法を提供することにある。
【０００７】
また、着信履歴中の電話番号を読み取りながらこの電話番号に対応するボタン等を押下して発信するといった操作をする必要がない電話装置、電話装置システム及び電話装置の着信履歴管理方法を提供することにある。
【０００８】
更に、本発明の第２の目的は、前述の第１から第３の問題のほかに第４の問題をも除去することにある。すなわち、本発明の第２の目的は、発信するときに電話番号を間違える可能性がなく、個人情報が漏れる可能性のない電話装置、電話装置システム及び電話装置の着信履歴管理方法を提供することにある。
【課題を解決するための手段】
【０００９】
本発明の第１の電話装置は、他の電話装置から着信履歴を受け、この受けた着信履歴を自電話装置の着信履歴として格納するようにしている。
【００１０】
本発明の第２の電話装置は、他の電話装置から着信履歴を受け、この受けた着信履歴を、この着信履歴を送った前記他の電話装置の着信履歴として格納し自電話装置の着信履歴とは別に管理するようにしている。
【００１１】
これら第１、第２の電話装置により本発明の第１の目的が達成される。
【００１２】
本発明の第１と第２の電話装置は、具体的には、前記着信履歴を電子メールで受け、この電子メールより前記着信履歴を取り出しこの取り出した着信履歴を格納し管理するようにしている。
【００１３】
更に、本発明の第１と第２の電話装置は、前記着信履歴を、この着信履歴のデータを構成する各文字にそれぞれ対応する音信号を示すプッシュトーンの群として受け、この受けた前記プッシュトーンの群より前記着信履歴を生成し、この生成した着信履歴を格納し管理するようにしても良い。このプッシュトーンを利用することにより、本発明の第２の目的が達成される。
【００１４】
本発明の第３の電話装置は、他の電話装置から着信履歴を受ける受信手段と、記憶手段と、前記受信手段が受けた前記着信履歴を自電話装置の着信履歴として前記記憶手段に格納する制御手段と、を備えて構成されている。
【００１５】
本発明の第４の電話装置は、他の電話装置から着信履歴を受ける受信手段と、記記憶手段と、前記受信手段が受けた前記着信履歴を、この着信履歴を送った前記他の電話装置の着信履歴として前記記憶手段に格納し自電話装置の着信履歴とは別に管理する制御手段と、を備えて構成されている。
【００１６】
また、本発明の第３と第４の電話装置の前記受信手段は、具体的には、前記着信履歴を電子メールで受け、前記制御手段は、前記受信手段が受けた前記電子メールより前記着信履歴を取り出しこの取り出した着信履歴を前記記憶手段に格納するようにしている。
【００１７】
更に、本発明の第３と第４の電話装置の前記制御手段は、前記受信手段が受けた前記電子メールの送信元のメールアドレスが予め備えたメールアドレスと一致し、かつ、前記電子メールの表題を示すキーワードが予め備えたキーワードと一致するときに、前記電子メールより前記着信履歴を取り出すようにしている。
【００１８】
また、本発明の第３と第４の電話装置の前記受信手段は、前記着信履歴を、この着信履歴のデータを構成する各文字にそれぞれ対応する音信号を示すプッシュトーンの群として受け、前記制御手段は、前記受信手段が受けた前記プッシュトーンの群より前記着信履歴を生成し、この生成した着信履歴を格納するようにしても良い。
【００１９】
本発明の第１の電話装置システムは、着信履歴を送信する他の電話装置と、
前記他の電話装置から前記着信履歴を受け、この受けた着信履歴を自電話装置の着信履歴として格納する電話装置と、
を備えて構成されている。
【００２０】
本発明の第２の電話装置システムは、着信履歴を送信する他の電話装置と、
前記他の電話装置から前記着信履歴を受け、この受けた着信履歴を、この着信履歴を送った前記他の電話装置の着信履歴として格納し自電話装置の着信履歴とは別に管理するようにした電話装置と、
を備えて構成されている。
【００２１】
また、本発明の第１と第２の電話装置システムにおいて、
前記他の電話装置は、前記着信履歴を電子メールにして送信し、
前記電話装置は、具体的には、前記他の電話装置から前記電子メールを受けこの受けた電子メールより前記着信履歴を取り出しこの取り出した着信履歴を格納し管理するようにしている。
【００２２】
更に、本発明の第１と第２の電話装置システムにおいて、
前記他の電話装置は、前記着信履歴を、この着信履歴のデータを構成する各文字にそれぞれ対応する音信号を示すプッシュトーンの群にして送信し、
前記電話装置は、前記他の電話装置から前記プッシュトーンの群を受け、この受けた前記プッシュトーンの群より前記着信履歴を生成し、この生成した着信履歴を格納し管理するようにしても良い。
【００２３】
本発明の第３の電話装置システムは、電話装置と、他の電話装置と、前記電話装置と前記他の電話装置とを接続する網とにより構成する電話装置システムであって、
網を介して着信を受け、着信を受けた後に予め登録した前記電話装置の電話番号に発呼しこの発呼に対応した着信信号を前記電話装置より受け、前記着信を受けたときの着信履歴を、この着信履歴のデータを構成する各文字にそれぞれ対応する音信号を示すプッシュトーンの群として前記電話装置に送信する前記他の電話装置と、
前記他の電話装置からの着信を受け、前記着信信号を前記他の電話装置に出力し、前記他の電話装置より前記プッシュトーンの群を受けこのプッシュトーンの群より前記着信履歴を生成し、この生成した前記着信履歴を自電話装置の着信履歴として格納し管理する前記電話装置と、
を備えて構成されている。
【００２４】
本発明の第４の電話装置システムは、電話装置と、他の電話装置と、前記電話装置と前記他の電話装置とを接続する網とにより構成する電話装置システムであって、
網を介して着信を受け、着信を受けた後に予め登録した前記電話装置の電話番号に発呼しこの発呼に対応した着信信号を前記電話装置より受け、前記着信を受けたときの着信履歴を、この着信履歴のデータを構成する各文字にそれぞれ対応する音信号を示すプッシュトーンの群として前記電話装置に送信する前記他の電話装置と、
前記他の電話装置からの着信を受け、前記着信信号を前記他の電話装置に出力し、前記他の電話装置より前記プッシュトーンの群を受けこのプッシュトーンの群より前記着信履歴を生成し、この生成した前記着信履歴を前記他の電話装置の着信履歴として格納し自電話装置の着信履歴とは別に管理する前記電話装置と、
を備えて構成されている。
【００２５】
本発明の第１の電話装置の着信履歴管理方法は、他の電話装置から着信履歴を受ける第１のステップと、
前記第１のステップで受けた前記着信履歴を自電話装置の着信履歴として格納する第２のステップと、
を含んで構成されている。
【００２６】
本発明の第２の電話装置の着信履歴管理方法は、他の電話装置から着信履歴を受ける第１のステップと、
前記第１のステップで受けた前記着信履歴を、前記他の電話装置の着信履歴として格納し自電話装置の着信履歴とは別に管理する第２のステップと、
を含んで構成されている。
【００２７】
また、本発明の第１と第２の電話装置の着信履歴管理方法の前記第１のステップは、前記他の電話装置から前記着信履歴を電子メールで受け、前記第２のステップは、前記第１のステップで受けた前記電子メールから前記着信履歴を取り出しこの取り出した着信履歴を格納するようにしている。
【００２８】
更に、本発明の第１と第２の電話装置の着信履歴管理方法の前記第２のステップは、前記第１のステップで受けた前記電子メールの送信元のメールアドレスが予め備えたメールアドレスと一致し、かつ、前記電子メールの表題を示すキーワードが予め備えたキーワードと一致するときに、前記電子メールより前記着信履歴を取り出すようにしている。
【００２９】
また、本発明の第１と第２の電話装置の着信履歴管理方法の前記第１のステップは、前記他の電話装置から前記着信履歴を、この着信履歴のデータを構成する各文字にそれぞれ対応する音信号を示すプッシュトーンの群として受け、
前記第２のステップは、前記第１のステップが受けた前記プッシュトーンの群より前記着信履歴を生成しこの生成した着信履歴を格納するようにしている。
【００３０】
本発明の第３の電話装置の着信履歴管理方法は、
他の電話装置が、着信を受け受けた後に、この他の電話装置に予め登録した電話番号に発呼する第１のステップと、
前記電話番号を持つ電話装置が、前記他の電話装置より着信し着信信号を出力する第２のステップと、
前記他の電話装置が、前記着信信号を受け、前記第１のステップで着信したときの着信履歴を、この着信履歴のデータを構成する各文字にそれぞれ対応する音信号を示すプッシュトーンの群として前記電話装置に送信する第３のステップと、
前記電話装置が、前記他の電話装置より前記プッシュトーンの群を受けこのプッシュトーンの群より前記着信履歴を生成する第４のステップと、
前記電話装置が、前記第４のステップで生成した前記着信履歴を自電話装置の着信履歴として格納し管理する第５のステップと、
を含んで構成されている。
【００３１】
本発明の第４の電話装置の着信履歴管理方法は、
他の電話装置が、着信を受け受けた後に、この他の電話装置に予め登録した電話番号に発呼する第１のステップと、
前記電話番号を持つ電話装置が、前記他の電話装置より着信し着信信号を出力する第２のステップと、
前記他の電話装置が、前記着信信号を受け、前記第１のステップで着信したときの着信履歴を、この着信履歴のデータを構成する各文字にそれぞれ対応する音信号を示すプッシュトーンの群として前記電話装置に送信する第３のステップと、
前記電話装置が、前記他の電話装置より前記プッシュトーンの群を受けこのプッシュトーンの群より前記着信履歴を生成する第４のステップと、
前記電話装置が、前記第４のステップで生成した前記着信履歴を、前記他の電話装置の着信履歴として格納し自電話装置の着信履歴とは別に管理する第５のステップと、
を含んで構成されている。
【発明の効果】
【００３２】
本発明によれば、他の電話装置から着信履歴を受け、この受けた着信履歴を自電話装置の着信履歴として格納し管理するようにした。このため、電話装置の利用者は、自着信履歴を操作して他の電話装置から受けた着信履歴を指定することにより、この着信履歴中の電話番号に発信することができる。
【００３３】
このため、電話装置の利用者は、電子メールより着信履歴を取り出し着信履歴中の電話番号を読み取りこの電話番号に対応するボタン等を押下して発信するといった操作をする必要がない。
【００３４】
また、着信履歴を指定することにより、この着信履歴中の電話番号に発信することができるので、発信するときに電話番号を間違える可能性がない。
【発明を実施するための最良の形態】
【００３５】
次に、本発明の実施の形態について図面を参照して説明する。
【００３６】
図１は、本発明の電話装置システムの第１の実施の形態を示すブロック図である。
【００３７】
図１に示す本実施の形態は、電話装置１と、他の電話装置３と、この電話装置１と他の電話装置３とを接続する網２とにより構成する。
【００３８】
他の電話装置３は、図示しない発信元の電話装置から網２を介して着信を受け、この着信の着信履歴を電子メールにして電話装置１に送る。
【００３９】
電話装置１は、網２を介して他の電話装置３より電子メールを受け、この電子メールから着信履歴を取り出して格納し管理する。
【００４０】
電話装置１は、送受信部８と、記憶部７と、操作部５と、表示部６と、制御部４とにより構成する。
【００４１】
送受信部８は、網２を介して信号の送受信を行う。この送受信部８は、無線により信号の送受信を行う無線部であっても、有線により信号の送受信を行う有線部であっても良い。
【００４２】
送受信部８が無線部の場合は、この電話装置１は例えば携帯電話装置であり、送受信部８が有線部の場合は、この電話装置１は例えば固定電話装置である。
【００４３】
記憶部７は、電話装置１の制御プログラム、各種機能を実現するプログラム等の各種プログラム、機能有効無効情報、機能を実現するときに必要な各種データ、着信履歴等を記憶する。
【００４４】
操作部５は、利用者の操作により、機能を有効（ＯＮ）又は無効（ＯＦＦ）にする指示を出力する。また、着信履歴送信機能や着信履歴受信機能等の各種機能の設定指示を出力する。
【００４５】
表示部６は、各種表示を行う。
【００４６】
制御部４は、操作部５からの指示や送受信部８からの受信信号に基づき、表示部６、記憶部７、送受信部８の制御を行う。また、電子メールの送信・受信の制御、着信履歴を内蔵する電子メールの作成制御、着信履歴を内蔵する電子メールを受けこの電子メールを表示部に表示させる制御、着信履歴を内蔵する電子メールを受け着信履歴内の電話番号に発呼する制御等の各制御を行う。
【００４７】
他の電話装置３は、電話装置１と同じ構成を含み、同等な機能を有する。
【００４８】
図１では、他の電話装置３が網２に一台接続されているが、この他の電話装置３は、網２に複数台接続されていても良い。
【００４９】
次に、本実施の形態の電話装置システムの動作を図２から図１０を参照して詳細に説明する。
【００５０】
図２は、本発明の実施の形態の動作の一例を示すフローチャートである。
【００５１】
図１において、図２のステップ２０１では、他の電話装置３が、利用者の操作部５の操作により、着信履歴の送り先の電話装置１のメールアドレスを記憶部７に予め登録しておく。
【００５２】
図２のステップ２０２では、他の電話装置３が、網２を介して図示しない発信元の電話装置から着信を受ける。そして、発信元の電話装置の電話番号と着信時間とを含む着信履歴を電子メールにして、記憶部７に登録されたメールアドレスに送る。
【００５３】
図２のステップ２０３では、電話装置１が、他の電話装置３より電子メールを受け、この電子メールより着信履歴を取り出す。
【００５４】
図２のステップ２０４では、電話装置１が、取り出した着信履歴を自電話装置１の着信履歴として記憶部７に格納して管理する。
【００５５】
ここで、図３は、自電話装置の着信履歴を格納する着信履歴テーブルの一例を示す図であり、着信履歴に含まれる電話番号を着信時間順に格納してある。図４は、自電話装置の着信履歴と他の電話装置の着信履歴とを格納する着信履歴テーブルの一例を示す図である。また、  図５は、自電話装置の着信履歴と他の電話装置の着信履歴とを格納する着信履歴テーブルの一例を示す図である。
【００５６】
図２のステップ２０４では、取り出した着信履歴に含まれる電話番号を、電話装置１の記憶部７に格納されている、図３に示す着信履歴テーブルに、この取り出した着信履歴に含まれる着信時間をキーにしてソーティングして格納する。
【００５７】
あるいは、図２のステップ２０４では、電話装置１が、取り出した着信履歴を、この着信履歴を送った他の電話装置３の着信履歴として記憶部７に格納し、自電話装置１の着信履歴とは別に管理する。すなわち、電子メールから取り出した着信履歴に含まれる電話番号を、図４に示すように個別に着信履歴テーブルに着信時間順に格納する。この着信履歴テーブルは着信履歴を含む電子メールの送信元のメールアドレス毎に作成する。電話装置１の利用者は、使用者は操作部５を操作して、表示部６に他の電話装置３の着信履歴テーブルを表示させ、この着信履歴テーブル内の電話番号を選択する。選択することにより他の電話装置３に着信した発信元の電話番号に発信することができる。他の電話装置３の着信履歴テーブル内の電話番号を選択する操作は、自電話装置１の着信履歴テーブル内の電話番号を選択する操作と同様である。
【００５８】
また、図２のステップ２０４では、電子メールから取り出した着信履歴に含まれる電話番号を、図５に示すように、他の電話装置３の着信履歴を、自電話装置１の着信履歴テーブルと同一のテーブルに格納して管理しても良い。
【００５９】
すなわち、電子メールより取り出した着信履歴に含まれる電話番号と、この電子メールを送信した電話装置に予め付けられたＩＤとを対にしたデータを、着信履歴に含まれる着信時間をキーにしてソーティングして図５に示す着信履歴テーブルに、格納しても良い。電話装置に予め付けられたＩＤとは、電話装置のメールアドレス又は電話番号に対応して固有に付けたＩＤである。
【００６０】
電話装置１の利用者は、例えば複数の電話装置を保有する場合、複数の電話装置の着信履歴を一つの電話装置で管理することができる。このことは、複数の他の電話装置からこれらの電話装置の着信履歴を一つの電話装置に送り、この一つの電話装置で複数の他の電話装置の着信履歴を取り込むことにより達成される。
【００６１】
電話装置１は、取り込んだ着信履歴から電話番号を取り出しこの電話番号に発信することにより、この一つの電話装置から、複数の電話装置に着信した呼への返信をすることが出来る。
【００６２】
ここで、図６から図１０を用いて、電話装置１の着信履歴送信機能を設定する動作、電話装置１が着信履歴を送信する動作、電話装置１に着信履歴受信機能を設定する動作、及び、電話装置１が着信履歴を受信する動作をそれぞれ説明する。
【００６３】
図６は、電話装置に着信履歴送信機能を設定する動作の一例を示すフローチャートである。
【００６４】
図７は、電話装置が着信履歴を送信する動作の一例を示すフローチャートである。
【００６５】
最初に、図６を用いて、電話装置１に着信履歴送信機能を設定する動作を説明する。
【００６６】
図６のステップ６０１では、利用者の操作部５の操作により出力される操作部５からの指示に従い、制御部４が、着信履歴送信機能設定ＯＮ／ＯＦＦを表示部６に表示させる。
【００６７】
図６のステップ６０２では、利用者の操作部５の操作により出力される操作部５からの指示に従い、制御部４が、着信履歴送信機能設定ＯＮ又はＯＦＦを選択する。選択結果がＯＮのときには、ステップ６０３（Ｓ６０３）へ進む。また、選択結果がＯＦＦのときには、ステップ６０６（Ｓ６０６）へ進む。
【００６８】
図６のステップ６０３では、制御部４が、表示部６に電子メールの表題である電子メール表題キーワードの設定のための表示を表示させる。そして、利用者の操作部５の操作により出力される操作部５からの指示に従い、このキーワードを指定し記憶部７に格納する。
【００６９】
このキーワードは、電話装置１が着信履歴を送信するときに、着信履歴を送るための電子メールを他のメールと区別するためのものであり、例えば、「着信履歴」である。
【００７０】
図６のステップ６０４では、制御部４が、送信先メールアドレス設定の表示を表示部６に表示させる。そして、利用者の操作部５の操作により出力される操作部５からの指示に従い、送信先メールアドレスを指定し、この送信先メールアドレスを記憶部７に格納する。
【００７１】
図６のステップ６０５では、制御部４が、着信履歴送信機能ＯＮを記憶部７に格納し、本動作を終了する。
【００７２】
図６のステップ６０６では、制御部４が、着信履歴送信機能ＯＦＦを記憶部７に格納し、本動作を終了する。
【００７３】
次に、図７を用いて、電話装置１が着信履歴を送信する動作を説明する。
【００７４】
図７のステップ７０１では、送受信部８が網２を介して着信する。そして、制御部４は、送受信部８から着信終了信号を受けると、この着信の発信元の電話番号と着信時間とを含む着信履歴を記憶部７に格納する。
【００７５】
図７のステップ７０２では、制御部４が、記憶部７に格納されている着信履歴送信機能ＯＮ／ＯＦＦ情報を読み出し、ＯＮかＯＦＦかを判断する。着信履歴送信機能がＯＮのときにはステップ７０３（Ｓ７０３）へ進む。着信履歴送信機能がＯＦＦのときには、本動作を終了する。
【００７６】
図７のステップ７０３では、制御部４が、記憶部７から電子メール表題キーワードを読み出す。
【００７７】
図７のステップ７０４では、制御部４が、記憶部７から送信先メールアドレスを読み出す。
【００７８】
図７のステップ７０５では、制御部４が、ステップ７０１（Ｓ７０１）で格納された着信履歴を記憶部７から読み出す。
【００７９】
図７のステップ７０６では、制御部４が、ステップ７０５（Ｓ７０５）で読み出した着信履歴に基づいて、図８に示すフォーマットの電子メールを作成する。
【００８０】
図８は、着信履歴を含む電子メールのフォーマットの一例を示す図である。この電子メールのフォーマットは、送信先メールアドレス、メール表題キーワード、送信元メールアドレス、送信日時、本文フィールドを含んでいる。本文フィールドに、発信元の電話番号と着信時間とが含まれている。送信先メールアドレスは、"To"フィールドに設定する。メール表題キーワードは、"Subuject"フィールドに設定する。着信履歴の発信元の電話番号は本文フィールド中の”発信者番号：”の後に「発信元の電話番号、ＣＲ、ＬＦ」として設定する。ＣＲはキャリッジリターン、ＬＦはラインフィードである。着信履歴の着信時間は本文フィールド中の”着信時間：”の後に「年月日時刻、ＣＲ、ＬＦ」として設定する。
【００８１】
図７のステップ７０７では、制御部４が、送受信部８を介してこの電子メールを送信する。
【００８２】
次に、電話装置に着信履歴受信機能を設定する動作の一例を示すフローチャートである図９を用いて、電話装置１に着信履歴受信機能を設定する動作を説明する。
【００８３】
図９のステップ９０１では、利用者の操作部５の操作により出力される操作部５からの指示に従い、制御部４が、着信履歴受信機能設定ＯＮ／ＯＦＦを表示部６に表示させる。
【００８４】
図９のステップ９０２では、利用者の操作部５の操作により出力される操作部５からの指示に従い、制御部４が着信履歴受信機能設定ＯＮ又はＯＦＦを選択する。選択結果がＯＮのときには、ステップ９０３（Ｓ９０３）へ進む。また、選択結果がＯＦＦのときには、ステップ９０６（Ｓ９０６）へ進む。
【００８５】
図９のステップ９０３では、制御部４が、表示部６に電子メールの表題である電子メール表題キーワードの設定のための表示を表示させる。そして、利用者の操作部５の操作により出力される操作部５からの指示に従い、このキーワードを指定し記憶部７に格納する。
【００８６】
図９のステップ９０４では、制御部４が、送付元メールアドレス設定の表示を表示部６に表示させる。そして、利用者の操作部５の操作により出力される操作部５からの指示に従い、送付元メールアドレスを指定し、この送付元メールアドレスを記憶部７に格納する。
【００８７】
図９のステップ９０５では、制御部４が、着信履歴受信機能ＯＮを記憶部７に格納し、本動作を終了する。
【００８８】
図９のステップ９０６では、制御部４が、着信履歴受信機能ＯＦＦを記憶部７に格納し、本動作を終了する。
【００８９】
最後に、電話装置が着信履歴を受信する動作の一例を示すフローチャートである図１０を用いて、電話装置１が着信履歴を受信する動作を説明する。
【００９０】
図１０のステップ１００１では、送受信部８が網２を介して電子メールを受信する。そして、制御部４が、この電子メールを記憶部７に格納する。
【００９１】
図１０のステップ１００２では、制御部４が、記憶部７に格納されている着信履歴受信機能ＯＮ／ＯＦＦ情報を読み出し、ＯＮかＯＦＦかを判断する。着信履歴受信機能がＯＮのときにはステップ１００３（Ｓ１００３）へ進む。着信履歴受信機能がＯＦＦのときには、本動作を終了する。
【００９２】
図１０のステップ１００３では、制御部４が、ステップ１００１（Ｓ１００１）で格納した電子メールを記憶部７より読み出す。
【００９３】
図１０のステップ１００４では、制御部４が、記憶部７より送付元メールアドレスを読み出す。そして、ステップ１００３（Ｓ１００３）で読み出した電子メール内の"from"フィールド内のメールアドレスと送付元メールアドレスとが一致するか否かを調べる。一致しているときにはステップ１００５（Ｓ１００５）へ進む。一致していないときには本動作を終了する。
【００９４】
図１０のステップ１００５では、制御部４が、記憶部７よりメール表題キーワードを読み出し、電子メール内の"subject"フィールド内の内容と一致するか否かを調べる。一致しているときにはステップ１００６（Ｓ１００６）へ進む。一致していないときには本動作を終了する。
【００９５】
図１０のステップ１００６では、制御部４が、電子メール内の本文フィールド内に"発信者番号："が存在するか否かを調べる。"発信者番号："が存在するときにはステップ１００７（Ｓ１００７）へ進む。"発信者番号："が存在していないときには本動作を終了する。
【００９６】
図１０のステップ１００７では、制御部４が、電子メールの本文フィールド中の”発信者番号：”の後に続くＣＲ、ＬＦまでの数字を発信元の電話番号として抽出する。
【００９７】
図１０のステップ１００８では、本文フィールド内に"着信時間："が存在するか否かを調べ、"着信時間："が存在するときにはステップ１００９（Ｓ１００９）へ進む。"着信時間："が存在していないときには本動作を終了する。
【００９８】
図１０のステップ１００９では、制御部４が、電子メールの本文フィールド中の"着信時間："の後に続くＣＲ、ＬＦまでの英数字記号を着信時間として抽出する。
【００９９】
図１０のステップ１０１０では、制御部４が、ステップ１００７とステップ１００９で抽出した着信履歴（発信元の電話番号と着信時間と）を記憶部７に着信履歴として格納する。
【０１００】
電話装置１は、この着信履歴を自電話装置１の着信履歴として格納して管理する。又は、この着信履歴を送った他の電話装置３の着信履歴として記憶部７に格納し、自電話装置１の着信履歴とは別に管理する。
【０１０１】
図１１は、本発明の電話装置システムの第２の実施の形態を示すブロック図である。
【０１０２】
図１１に示す本実施の形態は、電話装置９と、他の電話装置１０と、この電話装置９と他の電話装置１０とを接続する網２とにより構成する。
【０１０３】
他の電話装置１０は、図示しない発信元の電話装置から網２を介して着信を受け、この着信の着信履歴をプッシュトーンの群にして電話装置９に送る。プッシュトーンとは、着信履歴のデータを構成する各文字にそれぞれ対応する音信号である。文字は、英字、数字、記号を含む。プッシュトーンは、複数の周波数を合成した音信号でも良いし、単一周波数の音信号であっても良い。
【０１０４】
電話装置９は、網２を介して他の電話装置１０よりプッシュトーンの群を受け、このプッシュトーンの群から着信履歴を生成しこの着信履歴を格納し管理する。
【０１０５】
電話装置９は、送受信部８と、記憶部７と、操作部５と、表示部６と、プッシュトーン生成部１２、プッシュトーン検出部１３と、制御部１１とにより構成する。
【０１０６】
送受信部８、記憶部７、操作部５及び表示部６は、図１で示す第１の実施の形態と同一機能を有し、同一の符号を付している。
【０１０７】
制御部１１は、操作部５からの指示や送受信部８からの受信信号に基づき、表示部６、記憶部７、送受信部８、プッシュトーン生成部１２及びプッシュトーン検出部１３の制御を行う。また、プッシュトーンの群の送信・受信の制御等の各制御を行う。
【０１０８】
他の電話装置１０は、電話装置９と同じ構成を含み、同等な機能を有する。
【０１０９】
図１１では、他の電話装置１０が網２に一台接続されているが、この他の電話装置１０は、網２に複数台接続されていても良い。
【０１１０】
次に、本実施の形態の電話装置システムの動作を図１２から図１７を参照して詳細に説明する。
【０１１１】
図１２は、本発明の実施の形態の動作の一例を示すフローチャートである。
【０１１２】
図１３は、電話装置に着信履歴送信機能を設定する動作の一例を示すフローチャートである。
【０１１３】
図１４は、電話装置が着信履歴を送信する動作の一例を示すフローチャートである。
【０１１４】
図１１において、図１２のステップ１２０１では、他の電話装置１０が、利用者の操作部５の操作により、着信履歴を送る電話装置９の電話番号を記憶部７に予め登録しておく。
【０１１５】
図１２のステップ１２０２では、他の電話装置１０が、網２を介して図示しない発信元の電話装置から着信を受ける。そして、ステップ１２０１で記憶部７に登録した電話番号の電話装置９に発呼する。
【０１１６】
図１２のステップ１２０３では、電話装置９が、他の電話装置１０より着信し着信信号を出力する。
【０１１７】
図１２のステップ１２０４では、他の電話装置１０が、電話装置９が出力した着信信号を受け、ステップ１２０２で着信したときの着信履歴を、この着信履歴のデータを構成する各文字にそれぞれ対応する音信号を示すプッシュトーンの群にして記憶部７に登録された電話番号の電話装置９に送る。
【０１１８】
図１２のステップ１２０５では、電話装置９が、他の電話装置１０よりプッシュトーンの群を受け、このプッシュトーンの群より着信履歴を生成する。
【０１１９】
図１２のステップ１２０６では、電話装置９が、生成した着信履歴を自電話装置９の着信履歴として記憶部７に格納して管理する。すなわち、生成した着信履歴に含まれる電話番号を、電話装置９の記憶部７に格納されている、図３に示す着信履歴テーブルに、この生成した着信履歴に含まれる着信時間をキーにしてソーティングして格納する。
【０１２０】
あるいは、図１２のステップ１２０６では、電話装置９が、生成した着信履歴を、この着信履歴を送った他の電話装置１０の着信履歴として記憶部７に格納し、自電話装置９の着信履歴とは別に管理する。すなわち、プッシュトーンの群から生成した着信履歴に含まれる電話番号を、図４に示すように個別に着信履歴テーブルに着信時間順に格納する。この着信履歴テーブルは、電話装置９が、他の電話装置１０より着信したときに交換機より通知される発信者番号通知の電話番号毎に作成する。電話装置９の利用者は操作部５を操作して、表示部６に他の電話装置１０の着信履歴テーブルを表示させ、この着信履歴テーブル内の電話番号を選択する。選択することにより他の電話装置１０に着信した発信元の電話番号に発信することができる。他の電話装置１０の着信履歴テーブル内の電話番号を選択する操作は、自電話装置９の着信履歴テーブル内の電話番号を選択する操作と同様である。
【０１２１】
また、図１２のステップ１２０６では、プッシュトーンの群から生成した着信履歴に含まれる電話番号を、図５に示すように、他の電話装置１０の着信履歴を、自電話装置９の着信履歴テーブルと同一のテーブルに格納して管理しても良い。
【０１２２】
すなわち、プッシュトーンの群から生成した着信履歴に含まれる電話番号と、このプッシュトーンの群を送信した電話装置に予め付けられたＩＤとを対にしたデータを、着信履歴に含まれる着信時間をキーにしてソーティングして図５に示す着信履歴テーブルに、格納しても良い。電話装置に予め付けられたＩＤとは、電話装置の電話番号に対応して固有に付けたＩＤである。
【０１２３】
電話装置９の利用者は、例えば複数の電話装置を保有する場合、複数の電話装置の着信履歴を一つの電話装置で管理することができる。このことは、複数の他の電話装置からこれらの電話装置の着信履歴を一つの電話装置に送り、この一つの電話装置で複数の他の電話装置の着信履歴を取り込むことにより達成される。
【０１２４】
電話装置９は、取り込んだ着信履歴から電話番号を取り出しこの電話番号に発信することにより、この一つの電話装置から複数の電話装置に着信した呼への返信をすることが出来る。
【０１２５】
また、第２の実施の形態では、着信履歴をプッシュトーンの群にして送るようにしている。このため、着信履歴を電子メールとして送付する第１の実施の形態と異なり、メールアドレスを間違えることによって発生する個人情報の漏洩がない。
【０１２６】
ここで、図１３から図１７を用いて、電話装置９の着信履歴送信機能を設定する動作、電話装置９が着信履歴を送信する動作、電話装置９に着信履歴受信機能を設定する動作、及び、電話装置９が着信履歴を受信する動作をそれぞれ説明する。
【０１２７】
最初に、図１３を用いて、電話装置９に着信履歴送信機能を設定する動作を説明する。
【０１２８】
図１３のステップ１３０１では、利用者の操作部５の操作により出力される操作部５からの指示に従い、制御部１１が、着信履歴送信機能設定ＯＮ／ＯＦＦを表示部６に表示させる。
【０１２９】
図１３のステップ１３０２では、利用者の操作部５の操作により出力される操作部５からの指示に従い、制御部１１が、着信履歴送信機能設定ＯＮ又はＯＦＦを選択する。選択結果がＯＮのときには、ステップ１３０３（Ｓ１３０３）へ進む。また、選択結果がＯＦＦのときには、ステップ１３０６（Ｓ１３０６）へ進む。
【０１３０】
図１３のステップ１３０３では、制御部１１が、着信履歴コードを設定するための表示を表示部６に表示させる。そして、利用者の操作部５の操作により出力される操作部５からの指示に従い、この着信履歴コードを指定し、図１５に示すフォーマットで記憶部７に格納する。
【０１３１】
図１５は、プッシュトーンの群で送受信される着信履歴のフォーマットの一例を示す図である。この着信履歴のフォーマットは、着信履歴コードと着信履歴データとにより構成する。着信履歴コードは任意の英数字である。着信履歴データは、発信元の電話番号と、着信時間であり、例えば、数字と記号で構成する。
【０１３２】
図１３のステップ１３０４では、制御部１１が、送信先電話番号設定の表示を表示部６に表示させる。そして、利用者の操作部５の操作により出力される操作部５からの指示に従い、送信先電話番号を指定し、この送信先電話番号を記憶部７に格納する。
【０１３３】
図１３のステップ１３０５では、制御部１１が、着信履歴送信機能ＯＮを記憶部７に格納し、本動作を終了する。
【０１３４】
図１３のステップ１３０６では、制御部１１が、着信履歴送信機能ＯＦＦを記憶部７に格納し、本動作を終了する。
【０１３５】
次に、図１４を用いて、電話装置９が着信履歴を送信する動作を説明する。
【０１３６】
図１４のステップ１４０１では、送受信部８が網２を介して着信する。そして、制御部１１は、送受信部８から着信終了信号を受けると、この着信の発信元の電話番号と着信時間とを含む着信履歴を、図１５に示すように着信履歴データとして記憶部７に格納する。
【０１３７】
図１４のステップ１４０２では、制御部１１が、記憶部７に格納されている着信履歴送信機能ＯＮ／ＯＦＦ情報を読み出し、ＯＮかＯＦＦかを判断する。着信履歴送信機能がＯＮのときにはステップ１４０３（Ｓ１４０３）へ進む。着信履歴送信機能がＯＦＦのときには、本動作を終了する。
【０１３８】
図１４のステップ１４０３では、制御部１１が、図１３のステップ１３０４で格納された送信先電話番号を記憶部７から読み出す。
【０１３９】
図１４のステップ１４０４では、制御部１１が、ステップ１４０３で記憶部７から読み出した送信先電話番号に発呼する。
【０１４０】
図１４のステップ１４０５では、制御部１１が、ステップ１４０４の発呼に対応した着信信号を送信先電話番号を有する電話装置より受ける。そして、図１３のステップ１３０３で格納した着信履歴コードを記憶部７より読み出す。
【０１４１】
図１４のステップ１４０６では、制御部１１が、ステップ１４０５で読み出した着信履歴コードをプッシュトーン生成部１２に送る。そして、プッシュトーン生成部１２より着信履歴コードを構成する各文字に対応するプッシュトーンの群を受け、この群を送受信部８を介して送信先電話番号の電話装置に送出する。各文字は、例えば、プッシュトーンに使用する一般的な文字である０から９の数字と＊、＃の記号を用いる。
【０１４２】
図１４のステップ１４０７では、制御部１１が、ステップ１４０１で格納した着信履歴データを記憶部７より読み出す。
【０１４３】
図１４のステップ１４０８では、制御部１１が、ステップ１４０７で読み出した着信履歴データをプッシュトーン生成部１２に送る。そして、プッシュトーン生成部１２より着信履歴データを構成する各文字に対応するプッシュトーンの群を受け、この群を送受信部８を介して送信先電話番号の電話装置に送出する。
【０１４４】
次に、電話装置に着信履歴受信機能を設定する動作の一例を示すフローチャートである
図１６を用いて、電話装置９に着信履歴受信機能を設定する動作を説明する。
【０１４５】
図１６のステップ１６０１では、利用者の操作部５の操作により出力される操作部５からの指示に従い、制御部１１が、着信履歴受信機能設定ＯＮ／ＯＦＦを表示部６に表示させる。
【０１４６】
図１６のステップ１６０２では、利用者の操作部５の操作により出力される操作部５からの指示に従い、制御部１１が、着信履歴受信機能設定ＯＮ又はＯＦＦを選択する。選択結果がＯＮのときには、ステップ１６０３（Ｓ１６０３）へ進む。また、選択結果がＯＦＦのときには、ステップ１６０６（Ｓ１６０６）へ進む。
【０１４７】
図１６のステップ１６０３では、制御部１１が、着信履歴コードを設定するための表示を表示部６に表示させる。そして、利用者の操作部５の操作により出力される操作部５からの指示に従い、この着信履歴コードを指定し記憶部７に格納する。
【０１４８】
図１６のステップ１６０４では、制御部１１が、送付元電話番号設定の表示を表示部６に表示させる。そして、利用者の操作部５の操作により出力される操作部５からの指示に従い、送付元電話番号を指定し、この送付元電話番号を記憶部７に格納する。
【０１４９】
図１６のステップ１６０５では、制御部１１が、着信履歴受信機能ＯＮを記憶部７に格納し、本動作を終了する。
【０１５０】
図１６のステップ１６０６では、制御部１１が、着信履歴受信機能ＯＦＦを記憶部７に格納し、本動作を終了する。
【０１５１】
最後に、電話装置が着信履歴を受信する動作の一例を示すフローチャートである図１７を用いて、電話装置９が着信履歴を受信する動作を説明する。
【０１５２】
図１７のステップ１７０１では、送受信部８が網２を介して着信する。
【０１５３】
図１７のステップ１７０２では、制御部１１が、記憶部７に格納されている着信履歴受信機能ＯＮ／ＯＦＦ情報を読み出し、ＯＮかＯＦＦかを判断する。着信履歴受信機能がＯＮのときにはステップ１７０３（Ｓ１７０３）へ進む。着信履歴受信機能がＯＦＦのときには、本動作を終了する。
【０１５４】
図１７のステップ１７０３では、制御部１１が、交換機からの発信者番号通知があるか否かを調べる。発信者番号通知があるときにはステップ１７０４（Ｓ１７０４）へ進む。発信者番号通知がないときには、本動作を終了する。
【０１５５】
図１７のステップ１７０４では、制御部１１が、ステップ１６０４で格納した送付元電話番号を記憶部７より読み出す。
【０１５６】
図１７のステップ１７０５では、制御部１１が、交換機から発信者番号通知で受けた電話番号とステップ１７０４で読み出した送付元電話番号とが一致するか否かを調べる。一致しているときにはステップ１７０６（Ｓ１７０６）へ進む。一致していないときには、本動作を終了する。
【０１５７】
図１７のステップ１７０６では、制御部１１が、プッシュトーン検出部１３を制御しプッシュトーンの検出を行い、受けたプッシュトーンの群を文字群に変換する。
【０１５８】
図１７のステップ１７０７では、制御部１１が、ステップ１７０６で変換した文字群中に、ステップ１６０３で格納した着信履歴コードと一致するものがあるか否かを調べる。一致しているものがあるときにはステップ１７０８（Ｓ１７０８）へ進む。一致していないときには、本動作を終了する。
【０１５９】
図１７のステップ１７０８では、制御部１１が、ステップ１７０６で変換した文字群中より、図１５で示す、着信履歴データを取りだし記憶部７に格納する。
【０１６０】
電話装置９は、この着信履歴を自電話装置９の着信履歴として格納して管理する。又は、この着信履歴を送った他の電話装置１０の着信履歴として記憶部７に格納し、自電話装置９の着信履歴とは別に管理する。
【０１６１】
以上説明した第１と第２の実施の形態では、他の電話装置に着信があったときに、この他の電話装置からこの着信の着信履歴を電話装置に送るようにしている。このようにすることにより、電話装置は、他の電話装置に着信があったときに、すぐにこの着信の発信元の電話番号に発信することができる。
【０１６２】
第１と第２の実施の形態とは異なる第３の実施の形態として、他の電話装置への着信件数が予め定めた件数に達したときに、この他の電話装置からこれらの着信の着信履歴をまとめて電話装置に送るようにしても良い。この場合には、電話装置は他の電話装置の着信をまとめて受けて着信履歴テーブルに格納するようにするため、着信がある毎にこの着信の着信履歴を受けて着信履歴テーブルに格納する第１と第２の実施の形態よりも着信履歴の管理がしやすくなる。
【０１６３】
第３の実施の形態の変形として、他の電話装置が予め定めた時間毎に、この時間間隔の間に受けた着信の着信履歴をまとめて電話装置に送るようにしても良い。この場合も、第３の実施の形態の場合と同様の特徴がある。
【図面の簡単な説明】
【０１６４】
【図１】本発明の電話装置システムの第１の実施の形態を示すブロック図である。
【図２】本発明の実施の形態の動作の一例を示すフローチャートである。
【図３】電話装置の着信履歴を格納する着信履歴テーブルの一例を示す図である。
【図４】電話装置の着信履歴と他の電話装置の着信履歴とを格納する着信履歴テーブルの一例を示す図である。
【図５】電話装置の着信履歴と他の電話装置の着信履歴とを格納する着信履歴テーブルの一例を示す図である。
【図６】電話装置に着信履歴送信機能を設定する動作の一例を示すフローチャートである。
【図７】電話装置が着信履歴を送信する動作の一例を示すフローチャートである。
【図８】着信履歴を含む電子メールのフォーマットの一例を示す図である。
【図９】電話装置に着信履歴受信機能を設定する動作の一例を示すフローチャートである。
【図１０】電話装置が着信履歴を受信する動作の一例を示すフローチャートである。
【図１１】本発明の電話装置システムの第２の実施の形態を示すブロック図である。
【図１２】本発明の実施の形態の動作の一例を示すフローチャートである。
【図１３】電話装置に着信履歴送信機能を設定する動作の一例を示すフローチャートである。
【図１４】電話装置が着信履歴を送信する動作の一例を示すフローチャートである。
【図１５】プッシュトーンの群で送受信される着信履歴のフォーマットの一例を示す図である。
【図１６】電話装置に着信履歴受信機能を設定する動作の一例を示すフローチャートである。
【図１７】電話装置が着信履歴を受信する動作の一例を示すフローチャートである。
【符号の説明】
【０１６５】
１    電話装置
２    網
３    他の電話装置
４    制御部
５    操作部
６    表示部
７    記憶部
８    送受信部
９    電話装置
１０    他の電話装置
１１    制御部
１２    プッシュトーン生成部
１３    プッシュトーン検出部
【図１】
2005252448.tif 000003
【図２】
2005252448.tif 000004
【図３】
2005252448.tif 000005
【図４】
2005252448.tif 000006
【図５】
2005252448.tif 000007
【図６】
2005252448.tif 000008
【図７】
2005252448.tif 000009
【図８】
2005252448.tif 000010
【図９】
2005252448.tif 000011
【図１０】
2005252448.tif 000012
【図１１】
2005252448.tif 000013
【図１２】
2005252448.tif 000014
【図１３】
2005252448.tif 000015
【図１４】
2005252448.tif 000016
【図１５】
2005252448.tif 000017
【図１６】
2005252448.tif 000018
【図１７】
2005252448.tif 000019